(57)【特許請求の範囲】
【請求項１】
着用時に乳房を覆う左右一対のカップと、胸から下の部分を覆う前身頃と、背中から下の部分を覆う後ろ身頃とを備えたボディスーツであって、上記前身頃と後ろ身頃で形成される身頃部分が、前身頃の、体側部に沿う片縁部から後ろ身頃の左半分を延設し他縁部から後ろ身頃の右半分を延設してなる一枚の身頃生地からなり、上記身頃生地の裁断時の経方向を、見頃の左右方向に配置した状態で、上記後ろ身頃の左半分と右半分を背中側中央で突き合わせて縫合することにより、上記身頃生地が筒状に形成されていることを特徴とするボディスーツ。
【請求項２】
上記一枚の身頃生地が、パワーネットからなる請求項１記載のボディスーツ。
【発明の詳細な説明】
【０００１】
【発明の属する技術分野】
本発明は、体形を整えるために着用されるボディスーツに関するものである。
【０００２】
【従来の技術】
一般に、ボディスーツは、図４に示すように、前身頃１と後ろ身頃２とからなり、股部３は、後ろ身頃２の下端部が前身頃１の下端部に内側から重なるように前に延びて、この部分がスナップ４等によって開閉自在になっている。そして、全体が、身体に対し一定の圧力をかけることができるよう伸縮性素材（スパンデックス等）の編み地によって形成されていて、ボディスーツの形状に沿って体形が引き締められるようになっている。
【０００３】
【発明が解決しようとする課題】
しかしながら、上記ボディスーツは、通常、前身頃１と後ろ身頃２とが、互いに別々に裁断された生地からなり、しかもそれぞれの生地の経緯方向が、着用時の身体の上下左右方向と一致するような配置で裁断されているため、両者を縫合すると、身体の立体形状に沿うものとなり身体に無理な力がかからない半面、身体に対する矯正効果がいま一つ不充分になるという問題がある。
【０００４】
そこで、生地自体の圧縮力を高くして矯正力を高めることも考えられるが、そのようなものは、前屈姿勢や体側をねじった姿勢をとる場合、ボディスーツの圧縮力に逆らって動かなければならず、非常に窮屈な感じを与える。また、上体の動きによって前身頃１と後ろ身頃２が上方に引っ張られるため、股部３が身体に食い込んで不快感を与える。このことは、ボディスーツに用いるニット生地の伸縮性素材が、緯（よこ）方向に比べて経方向の伸縮性が制限されているにもかかわらず、通常の衣服のパターン取りと同様、生地の経方向（図４において矢印Ｐで示す）を身体の上下方向に沿うよう前身頃１と後ろ身頃２を裁断して縫製した場合に、多く見られる。
【０００５】
そこで、上体の動きがウエストから下側に響かず、ある程度身体の動きに追従するボディスーツとして、例えば図５（ａ）に示すように、後ろ身頃２に切り替え線（Ｘ，Ｙ，Ｚ）を増やし、左右の臀部に略三角形のマチ生地５，６を入れてよりきめ細かく立体感を付与したものや、同図（ｂ）に示すように、後ろ身頃２を、背中部７と臀部８に分離し、この背中部７を左右両開き状に分割し留め具９により開閉できるようにして、上体の動きが腰部や股部に響かないようにしたもの等が提案され一部で販売されている。
【０００６】
しかし、上記図５（ａ）のものは、部品点数が多いため裁断および縫製に時間がかかるとともに、複雑な縫合線によって良好な着用感が損なわれるという問題がある。また、上記図５（ｂ）のものは、背中部７と臀部８の分離部分が互いに重なったり離れたりして、やはり着用感がよくないという問題や、背中部７の留め具９をいちいち留めたり外したりしなければならないため着脱が不便であるという問題がある。
【０００７】
本発明は、このような事情に鑑みなされたもので、すっきりした構成で製造が簡単な上、生地自体の圧縮力をさほど高くしなくても優れた矯正効果を備え、良好な着用感を有するボディスーツの提供をその目的とする。
【０００８】
【課題を解決するための手段】
上記の目的を達成するため、本発明は、着用時に乳房を覆う左右一対のカップと、胸から下の部分を覆う前身頃と、背中から下の部分を覆う後ろ身頃とを備えたボディスーツであって、上記前身頃と後ろ身頃で形成される身頃部分が、前身頃の、体側部に沿う片縁部から後ろ身頃の左半分を延設し他縁部から後ろ身頃の右半分を延設してなる一枚の身頃生地からなり、上記身頃生地の裁断時の経方向を、見頃の左右方向に配置した状態で、上記後ろ身頃の左半分と右半分を背中側中央で突き合わせて縫合することにより、上記身頃生地が筒状に形成されているボディスーツを第１の要旨とする。
【０００９】
また、上記ボディスーツのなかでも、特に、上記一枚の身頃生地が、パワーネットからなるものを第２の要旨とする。
【００１０】
【発明の実施の形態】
つぎに、本発明の実施の形態について説明する。
【００１１】
図１（ａ）は、本発明の一実施の形態を示す正面図であり、同図（ｂ）は、その背面図である。このボディスーツは、前身頃１と後ろ身頃２とが、一枚仕立ての身頃生地１１で形成されており、これに、左右一対のカップ１２，１３と、肩ひも１４と、股部１５とが縫合により取り付けられている。なお、上記股部１５と前身頃１の下部との接合部は、従来のものと同様、スナップ１６等によって開閉自在になっている。また、左右のカップ１２，１３に挟まれたＶ字状空間の下部に、左右のカップ１２，１３を中心側に引き寄せるためのガイド部１７が取り付けられている。
【００１２】
上記身頃生地１１は、図２に示すように、前身頃１と、後ろ身頃２を左右に２分割して得られる右半分後ろ身頃２ａと、同じくその左半分である左半分後ろ身頃２ｂとが、一枚仕立てになっている。これが、本発明の第１の特徴である。より詳しく説明すると、上記前身頃１の、向かって左側の体側部に沿う縁部２０から、右半分後ろ身頃２ａが延設されており、同じく前身頃１の、向かって右側の体側部に沿う縁部２１から、左半分後ろ身頃２ｂが延設されている。
【００１３】
そして、上記身頃生地１１は、その生地の経方向Ｐが、身頃の左右方向となるように裁断されている。これが、本発明の第２の特徴である。すなわち、従来のボディスーツでは、すでに述べたように、生地の経方向Ｐが、破線で示すように身頃の上下方向となるような配置で裁断されていたが、本発明では、パターン取りの向きを９０度変えて、身頃の左右方向となるようにしている。
【００１４】
したがって、身頃生地１１の左右の後ろ身頃２ａ，２ｂにおいて、特にウエストから下の部分の生地の経方向Ｐが、実際の着用時の身体の左右方向（図２において矢印Ｑで示す）に対し、斜めに交差する向きとなるため、図１（ｂ）において矢印Ｒで示すように、臀部に斜めに圧縮力が働き、非常に優れた矯正効果が発揮されることとなる。同様に、他の生地部分においても、実際の着用時の身体の左右方向Ｑと、身頃の左右方向とが微妙にずれて、身体に対し斜め方向の無理な圧縮力が作用するため、どの部分においても、従来得ることのできなかった優れた矯正効果が発揮されることとなる。
【００１５】
また、上記身頃生地１１に取り付ける各生地部材も、図３に示すように、従来のパターン取りとは９０度向きを変えて裁断されている。図において、２２，２３は左右のカップ１２，１３を形成するためのカップ生地、２４は左右のカップ１２，１３の間に設けられるガイド部１７用のガイド生地、２５は股部１５用の股生地である。それぞれの生地の経方向Ｐを矢印で示す。
【００１６】
上記各生地部材を用い、つぎのような手順で、図１に示すボディスーツを得ることができる。すなわち、まずカップ生地２２，２３を、ガイド生地２４を挟んで一続きに縫合し、必要な縁部処理（裏側にストレッチテープを当てて縫合したり表側に縁飾りレースを当てて縫合したりする縁部処理、以下同じ）を行ったうえで、ダーツ部分２６，２７を縫合してカップ状に成形し、それぞれの下縁部２８，２９を身頃生地１１（図２参照）の上縁部３０と縫合して両者を接合する。
【００１７】
つぎに、身頃生地１１の右半分後ろ身頃２ａと左半分後ろ身頃２ｂを左右から突き合わせて、両者を縫合して接合する。これによって、身頃部分が筒状に形成される。なお、上記縫合の際、裏側にストレッチテープ３１（図１〔ｂ〕参照）を当て、縫合線に沿って上下方向にギャザーが寄った状態にして、後ろ身頃２に立体感を与えるようにしている。
【００１８】
つぎに、接合されて一続きとなった後ろ身頃２の下端縁３２に、股生地２５（図３参照）の下端縁２５ａを縫合して接合する。そして、左右の股ぐり部３３，３４の縁部処理を行ったのち、股生地２５の開放端２５ｂと前身頃１の下端３５の始末とスナップ１６付け（図１〔ａ〕参照）を行う。そして、図１（ａ），（ｂ）に示すように、肩ひも１４を取り付けて、目的とするボディスーツを得ることができる。
【００１９】
このようにして得られたボディスーツは、身頃生地１１が、前身頃１と後ろ身頃２を一続きにした一枚仕立てで形成されており、しかも、生地の経方向Ｐが身頃の左右方向となるような配置で裁断され縫合されているため、図１に示すように、緯方向よりも伸縮性が制限されている経方向Ｐが、身体の正面中央部では身体の左右方向に沿い、体側部から後ろ側にかけては、身体の左右方向から斜めにずれていくようになっている。したがって、体側から臀部にかけて、斜め方向に締め付け力がかかって臀部を引き上げるため、生地自体の圧縮力がさほど高くなくても、優れた矯正効果を発揮することができる。そして、身体の上下方向には、比較的伸縮性に富む緯方向が沿うため、動作に対する追従性が良好で、屈伸運動や体側をねじる動作によって、窮屈感を感じることがない。しかも、このボディスーツは、身頃部分が、背中の中央に１本の縫合線を有するだけで、非常にシンプルな形状になっているため、従来のもののように、縫合線によって着用感が損なわれることがない。また、裁断・縫製作業が簡単で、生産効率がよいという利点も有する。
【００２０】
なお、上記ボディスーツの生地素材としては、どのようなものであってもよいが、ニット編み地、特にパワーネットを用いることが好適である。すなわち、上記パワーネットは、素材の圧縮力が比較的弱くソフトな着心地が得られるものであるが、本発明の特殊な縫製により仕立てると、ソフトであるにもかかわらず、優れた矯正効果を奏するボディスーツとなるからである。
【００２１】
また、上記ボディスーツにおいて、身頃部分以外の形状、構造については、上記の例に限らず、どのように設定しても差し支えはない。例えば、左右のカップ１２，１３の形状や、股部１５の形状、股繰り部３３，３４の湾曲形状等は、上記の例に限らず、適宜に設定される。そして、端部処理の構成や、ギャザーを入れて立体感を出す部分等についても、上記の例に限らず、適宜に設定される。
【００２２】
肩ひも１４の取り付け形態も、適宜に設定される。もちろん、身頃部分の上端部の圧縮力を強くして肩ひも１４を取り付けない構造にしてもよい。
【００２３】
【発明の効果】
以上のように、本発明のボディスーツは、前身頃と後ろ身頃とが一枚の身頃生地で形成されており、しかも、生地の経方向Ｐが身頃の左右方向となるような配置で裁断され縫合されているため、その経方向Ｐが、身体の正面中央部では身体の左右方向に沿い、体側部から後ろ側にかけては、身体の左右方向から斜めにずれていくようになっている。したがって、体側から臀部にかけて、斜め方向に締め付け力がかかって臀部を引き上げるため、生地自体の圧縮力がさほど高くなくても、優れた矯正効果が発揮されるようになっている。そして、身体の上下方向には、伸縮性に富む緯方向が沿うため、動作に対する追従性が良好で、屈伸運動や体側をねじる動作によって、窮屈感を感じることがない。しかも、このボディスーツは、身頃における縫合線が背中中央の１本だけであるため、裁断・縫製作業が簡単で、生産効率がよいという利点を有している。
【図面の簡単な説明】
【図１】（ａ）は本発明の一実施例の正面図、（ｂ）はその背面図である。
【図２】上記実施例に用いる身頃生地の説明図である。
【図３】上記実施例に用いる身頃生地以外の生地部材の説明図である。
【図４】従来のボディスーツの一例を示す斜視図である。
【図５】（ａ），（ｂ）はともに従来のボディスーツの改良例を示す背面図である。
【符号の説明】
１  前身頃
２  後ろ身頃
１１  身頃生地
１２，１３  カップ
Ｐ  生地の経方向
【図１】
0003727499.tif 000002
【図２】
0003727499.tif 000003
【図３】
0003727499.tif 000004
【図４】
0003727499.tif 000005
【図５】
0003727499.tif 000006